(57)【要約】【課題】ワイヤハーネスの分岐部を１本のコルゲートチューブで外装保護する。【解決手段】コルゲートチューブは、ワイヤハーネスの幹線に外装する幹線外装部と、前記幹線から枝線が分岐する位置から周方向に間隔をあけて複数本の軸線方向のスリットを先端まで設けて、分岐する枝線の個数に対応する個数の分割片を設けた枝線外装部と、を備え、前記各分割片を各枝線の回りでねじり巻きして当該枝線を囲む筒とし、該筒の外周面をテープ巻きして筒形状を保持して、各枝線をそれぞれ各分割片で保護している。【選択図】図４
2015015832.tif 000002
【特許請求の範囲】
【請求項１】
環状の山部と谷部を軸線方向に交互に有する樹脂製のコルゲートチューブでワイヤハーネスを外装保護しており、
前記コルゲートチューブは、
前記ワイヤハーネスの幹線に外装する幹線外装部と、
前記幹線から枝線が分岐する位置から周方向に間隔をあけて複数本の軸線方向のスリットを先端まで設けて、分岐する枝線の個数に対応する個数の分割片を設けた枝線外装部とを備え、
前記各分割片を各枝線の回りでねじり巻きして当該枝線を囲む筒とし、該筒の外周面をテープ巻きして筒形状を保持して、各枝線をそれぞれ各分割片で保護しているワイヤハーネスの外装保護構造。
【請求項２】
前記分割片の先端を周方向の一端から他端にかけて斜めカットして斜めカット部を設け、前記分割片を前記枝線の回りにねじり巻きして筒状とした際に、前記分割片の斜めカット部の突端と基端とを周方向に連続させて先端を円環形状としている請求項１に記載のワイヤハーネスの外装保護構造。
【発明の詳細な説明】
【技術分野】
【０００１】
本発明はワイヤハーネスの外装保護構造に関し、詳しくは、汎用されている１本のコルゲートチューブを用いてワイヤハーネスの幹線、枝線分岐部および枝線を保護するものである。
【背景技術】
【０００２】
従来、自動車に配索されるワイヤハーネスの保護材として、樹脂製のコルゲートチューブが汎用されている。ワイヤハーネスの幹線から支線が分岐する位置において電線群を保護するために、本出願人は特開平９−１７２７１４号公報で図６に示すコルゲートチューブの取付構造を提供している。該取付構造では、幹線に外装するコルゲートチューブ１００と１０１の先端に斜めカット部１００ａ、１０１ａを設け、枝線に外装するコルゲートチューブ１０２に先端両側部にＶ字カット部１０２ａを設け、前記コルゲートチューブ１００、１０１、１０２のカット部１００ａ、１０１ａ、１０２ａを突き合わせて隙間なく分岐位置の電線群を保護している。
【先行技術文献】
【特許文献】
【０００３】
【特許文献１】特開平９−１７２７１４号公報
【発明の概要】
【発明が解決しようとする課題】
【０００４】
特許文献１のコルゲートチューブによる分岐部の保護構造によれば、Ｔ字、Ｙ字の分岐部でコルゲートチューブを３本に分断し、これら３本のコルゲートチューブの突き合わせ先端をそれぞれカットして用いているため、独立した３本のコルゲートチューブを用意する必要があり、十字分岐の場合は４本のコルゲートチューブが必要となり、部品管理に手間がかかる。かつ、先端のカット部が突き合わせ状態で隙間が発生しない状態に精度よくカットしておく必要がある。さらに、分岐位置でこれら３本の分断されたコルゲートチューブを突き合わせ状態で保持できるようにしっかりとテープ巻きをする必要がある。このように、特許文献１のコルゲートチューブを用いた分岐部の保護構造は改善の余地が多い。
【０００５】
本発明は前記問題に鑑みてなされたもので、幹線から複数の枝線が分岐するワイヤハーネスに対して、１本のコルゲートチューブを用いて幹線、分岐位置および分岐した枝線の保護を連続して図り、部品点数の削減および作業手数の減少を図ることを課題としている。
【課題を解決するための手段】
【０００６】
前記課題を解決するため、本発明は、環状の山部と谷部を軸線方向に交互に有する樹脂製のコルゲートチューブでワイヤハーネスを外装保護しており、
前記コルゲートチューブは、
前記ワイヤハーネスの幹線に外装する幹線外装部と、
前記幹線から枝線が分岐する位置から周方向に間隔をあけて複数本の軸線方向のスリットを先端まで設けて、分岐する枝線の個数に対応する個数の分割片を設けた枝線外装部と
を備え、
前記各分割片を各枝線の回りでねじり巻きして当該枝線を囲む筒とし、該筒の外周面をテープ巻きして筒形状を保持して、各枝線をそれぞれ各分割片で保護しているワイヤハーネスの外装保護構造を提供している。
【０００７】
コルゲートチューブに軸線方向のスリットを入れて周方向に分断して形成した複数の分割片は、軸線方向と直交方向の山部と谷部とが形成された円弧形状で且つ硬質な樹脂製であるため、該円弧状の分割片で枝線を囲む筒状とするために内径方向に縮めて縮径することは困難である。
本発明では、分割片をねじることは容易に出来ることを知見し、この知見に基づいて、分割片を枝線の回りでねじって筒状としている。これにより、幹線に外装した１本のコルゲートチューブを分岐位置から複数の分割片に分断し、各分割片をねじって各枝線を外装し、幹線外装部と複数の枝線外装部を１本のコルゲートチューブに連続して設けている。
【０００８】
これにより、特許文献１では、３本のコルゲートチューブが必要であったが、本発明では１本のコルゲートチューブでよく、別体のコルゲートチューブを分岐位置で突き合わせる作業もなく、部品点数の削減及び作業手数の軽減を図ることができる。
【０００９】
前記分割片の先端を周方向の一端から他端にかけて斜めカットして斜めカット部を設け、前記分割片を前記枝線の回りにねじり巻きして筒状とした際に、前記分割片の斜めカット部の突端と基端とを周方向に連続させて先端を円環形状とすることが好ましい。
【００１０】
前記のように、各分割片の先端に斜めカット部を設けると、枝線の回りにねじり巻きして筒状とした際に先端を円環状にでき、該分割片の巻付端にＶ形状に突出したエッジが生じないようにすることができる。
【００１１】
前記コルゲートチューブが全長にわたって１本のスリットが設けられているスリット入りコルゲートチューブであれば、枝線外装部に設ける軸線方向のスリットは、分岐する枝線の本数より１本少ない本数のスリットを周方向に間隔をあけて設けている。
即ち、幹線から分岐する枝線が２本であれば、枝線外装部には１本のスリットを追加すればよく、枝線が３本であれば、２本のスリットを入れればよい。
【００１２】
また、複数の分割片の周方向の長さは、同等でもよいし、外装する枝線の外径に応じて変えてもよく、各分割片で各枝線の外周を囲む筒にねじり巻きで巻き付けることができればよい。
【００１３】
さらに、複数の分割片の長さも、同等でもよいし、各枝線毎に必要な長さとしてもよい。長さを変える場合は、コルゲートチューブの元の長さを最長の分割片の長さにあわせておき、短い分割片は不要部分をカットすればよい。
【００１４】
例えば、枝線が短い場合は、幹線外装部から延長した前記分割片を枝線の所要長さ巻き付ければ、別のコルゲートチューブや樹脂チューブの外装やテープ巻きの外装を不要にできる。一方、枝線が長い場合には、枝線の分岐位置に近接した部分だけ前記分割片を巻き付けて外装し、該分割片の先端に他の樹脂チューブ等の外装材を連続して取り付ければよい。
【発明の効果】
【００１５】
前記のように、本発明に係わるコルゲートチューブによるワイヤハーネスの外装保護構造によれば、汎用されている１本のコルゲートチューブの枝線外装側にスリットを入れて周方向で分割した分割片を設け、各分割片を各枝線の外周にねじり巻きして、当該枝線を囲む筒状として外装している。これにより、連続した１本のコルゲートチューブを用いて、幹線側から分岐位置を経て各枝線を連続して保護することができる。
【図面の簡単な説明】
【００１６】
【図１】本発明の第１実施形態を示し、（Ａ）は全体斜視図、（Ｂ）は枝線をコルゲートチューブの分割片を巻き付けて外装した状態を示す説明図である。
【図２】（Ａ）は幹線から枝線が分岐したワイヤハーネスを示す概略平面図、（Ｂ）は該ワイヤハーネスに外装するコルゲートチューブの概略平面図、（Ｃ）は該コルゲートチューブの概略底面図である。
【図３】（Ａ）〜（Ｃ）は図２（Ｂ）（Ｃ）に示すコルゲートチューブの形成方法を示す図面である。
【図４】（Ａ）〜（Ｆ）は前記コルゲートチューブでワイヤハーネスを外装する工程を示す図面である。
【図５】第２実施形態を示し、（Ａ）はコルゲートチューブの要部斜視図、（Ｂ）はワイヤハーネスにコルゲートチューブを外装した状態を示す要部斜視図である。
【図６】従来例を示す斜視図である。
【発明を実施するための形態】
【００１７】
以下、本発明の実施形態を図面を参照して説明する。
図１乃至図４に第１実施形態を示す。
第１実施形態は、自動車に配索するワイヤハーネス１に１本のコルゲートチューブ１０を外装し、該ワイヤハーネス１の幹線２、該幹線２から２本の枝線３、４がＹ字状に分岐する分岐位置Ｐｓ、および各枝線３、４をコルゲートチューブ１で連続して外装保護している。
【００１８】
前記コルゲートチューブ１０は環状の山部１０ｙと谷部１０ｔが軸線方向に交互に設けられた樹脂製のコルゲートチューブであり、ワイヤハーネス外装材として汎用されているものである。該コルゲートチューブ１０の内径はワイヤハーネス１の幹線２が挿通できる大きさであればよく、軸線方向の全長に１本のスリット１１が設けられている。なお、この軸線方向全長のスリット１１はワイヤハーネスを軸直角方向から横入れ可能として挿通作業性の点から設けられているものであり、本発明では必須でない。
【００１９】
前記コルゲートチューブ１０は、図２（Ｂ）（Ｃ）に示すように、長さ方向の一端Ｐ１から中間点Ｐ２までの領域はワイヤハーネスの幹線２に外装する幹線外装部１０ａであり、幹線２から２本の枝線３、４が分岐する分岐位置Ｐｓと対応する位置が前記中間点Ｐ２である。該中間点Ｐ２から他端の先端点Ｐ３までの領域が分岐位置から枝線３、４にそれぞれ外装する枝線外装部１０ｂである。
【００２０】
図３（Ａ）に示すように、コルゲートチューブ１は通常の円筒形状の状態から、図３（Ｂ）に示すように枝線外装部１０ｂには、その先端点Ｐ３ではスリット１１を設けた部分を突端として斜め方向のカットＣを入れている。該カットＣは本実施形態では角度αが６０の傾斜カットとしている。該カットＣで切り込まれた奥端Ｃｐはスリット１１と直径方向に対向して位置し、該カットＣの奥端Ｃｐから中間点Ｐ２まで軸線方向のスリット１２を設けている。これにより枝線外装部１０ｂをスリット１１と１２とで周方向に２分割し、枝線３、４にそれぞれ外装する分割片１４、１５とに分けている。これら分割片１４、１５はそれぞれ先端に前記カットＣで形成した斜めカット部１６、１７を備えている。
【００２１】
前記枝線３、４にそれぞれ巻き付ける分割片１４、１５は、図４（Ｃ）に示すように、それぞれ枝線３、４の回りでねじり巻きしている。図１（Ｂ）に示すように、分割片１４では斜めカット部１６の突端１６ａと基端１６ｂとが先端周方向で環状に連続するように巻回し、円弧片からなる分割片１４を枝線３を囲む筒状としている。同様に、分割片１５では斜めカット部１７の突端１７ａと基端１７ｂとが先端周方向で環状に連続するように巻回し、円弧片からなる分割片１５を枝線４を囲む筒状としている。
【００２２】
分割片１４、１５の斜めカット部１６、１７のカット角度αは、カット部の突端１６ａと基端１６ｂ、１７ａと１７ｂが当接して形成される円筒の直径Ｄ１が枝線３、４の直径Ｄ２より大となる角度としている。
本実施形態では、枝線３、４の外径Ｄ２が略同等であるため、前記のようにカットＣにより一括で斜めカット部１６、１７を設け、カット角度αを同一角度としている。
【００２３】
前記のように、ワイヤハーネス１にコルゲートチューブを外装する前に、汎用されているスリット１１が入ったコルゲートチューブ１０に対して、枝線外装部１０ｂの先端にカットＣを入れると共にスリット１２を入れて、先端に斜めカット部１６、１７をそれぞれ有する２つの分割片１４、１５を設けている。
【００２４】
先端に斜めカット部１６、１７をそれぞれ有する２つの分割片１４、１５を設けたコルゲートチューブ１を、図４（Ａ）〜（Ｆ）に示す工程で、幹線２から枝線３、４がＹ字分岐したワイヤハーネス１に外装している。
【００２５】
即ち、まず、図４（Ａ）に示すように、スリット１１を開いて、幹線２を幹線外装部１０ａに通す。この状態で、図４（Ｂ）に示すように、中間点Ｐ２に幹線２から枝線３、４が分岐する分岐部Ｐｓを位置させ、分割片１４、１５で枝線３、４をそれぞれ囲む。
ついで、図４（Ｃ）に示すように、一方の分割片１４で枝線３の回りをねじり巻きして筒２０とする。
ついで、前記筒２０の状態を保持するため、図４（Ｄ）に示すようにスリット１２を設けた奥端から先端にかけて粘着樹脂テープ１８を巻き付ける。これにより、幹線２から分岐した枝線３の外周を分岐位置から分割片１４で筒状に囲んで外装保護できる。
ついで、図４（Ｅ）（Ｆ） に示すように、他方の枝線４に分割片１５をねじり巻きして筒２１とし、粘着テープ１８を巻き付けて筒２１を保持し、分割片１５で枝線４を外装保護する。
【００２６】
枝線３、４は比較的長いため、分割片１４、１５で外装した部分から先端は、樹脂チューブ（図示せず）をかぶせて外装している。なお、枝線が短い場合は分割片の長さを延長しておくことで、樹脂チューブ等の他の外装材による保護を不要としている。
【００２７】
図５（Ａ）（Ｂ）に第２実施形態を示す。
第２実施形態では、幹線２から３本の枝線３、４、５が分岐している。
コルゲートチューブ１は枝線外装部１０ｂの全長のスリット１１以外に２本のスリット１２Ａ、１２Ｂを入れて、３つの分割片１３、１４、１５を設けている。
前記スリット１１、１２Ａ、１２Ｂを周方向に等間隔で設けておらず、形成する分割片１３〜１５の周方向長さを変え、分割片１３の周方向長さを分割片１４、１５の周方向長さよりも短くしている。これは、図５（Ｂ）に示すように、枝線５の電線本数が枝線３、４の電線本数より少ないことに対応させている。
なお、第２実施形態では、各分割片１３、１４、１５の突出端に斜めカット部は設けていない。
【００２８】
第１実施形態と同様に、分割片１３は枝線５の回りにねじり巻きして筒２２として、粘着テープ（図示せず）を巻き付けて筒２２を保持している。分割片１４は枝線３に、分割片１５は枝線４にそれぞれねじり巻きして筒として、粘着テープを巻き付けて筒形状を保持している。
【００２９】
第２実施形態では、分割片１３、１４、１５の先端に斜めカット部を設けていないため、枝線にそれぞれねじり巻きした状態で、先端は円環形状にならず、Ｖ字突出部１３ｖ、１４ｖ、１５ｖする形状になるが、その外周面に粘着テープ（図示せず）を巻き付けるため、突出する先端がエッジとなって周縁部材に干渉することはない。
【符号の説明】
【００３０】
１  ワイヤハーネス
２  幹線
３、４、５  枝線
１０  コルゲートチューブ
１０ａ  幹線外装部
１０ｂ  枝線外装部
１１、１２  スリット  
１３、１４、１５  分割片
１６、１７  斜めカット部
１８  粘着テープ
【図１】
2015015832.tif 000003
【図２】
2015015832.tif 000004
【図３】
2015015832.tif 000005
【図４】
2015015832.tif 000006
【図５】
2015015832.tif 000007
【図６】
2015015832.tif 000008